(57)【要約】      （修正有）【課題】日程計画が重要となる可能性が大きい年末年始とゴールデンウィークにおいて、連続する２ヶ月が自然な形で配置され、見易いカレンダーを提供する。【解決手段】１ページに２ヶ月分の月表が表示されたカレンダー１において、左側に偶数月の月表３が配置され、その右側に、それに続く奇数月の月表４が配置されていることを特徴とするカレンダーである。さらに表紙、前年の１２月と１月、２月と３月、４月と５月、６月と７月、８月と９月、１０月と１１月、１２月と翌年の１月の８ページから構成されていることを特徴とするカレンダーである。【選択図】図１
0003208482.tif 000002
【実用新案登録請求の範囲】
【請求項１】
１ページに２ヶ月分の月表が表示されたカレンダーにおいて、左側に偶数月の月表が配置され、その右側に、それに続く奇数月の月表が配置されていることを特徴とするカレンダー。
【請求項２】
表紙、前年の１２月と１月、２月と３月、４月と５月、６月と７月、８月と９月、１０月と１１月、１２月と翌年の１月の８ページから構成されていることを特徴とする請求項１に記載のカレンダー。
【請求項３】
１ページは、２ヶ月分の月表のみからなることを特徴とする請求項１または２に記載のカレンダー。
【請求項４】
１ページは、上部に絵柄部を有し、下部に２ヶ月分の月表を有することを特徴とする請求項１または２に記載のカレンダー。
【請求項５】
卓上型のカレンダーであることを特徴とする請求項１〜４のいずれか１項に記載のカレンダー。
【考案の詳細な説明】
【技術分野】
【０００１】
本考案は、カレンダーに関し、特に１ページに２ヶ月分の月表を表示した２ヶ月カレンダーに関する。
【背景技術】
【０００２】
従来、カレンダーとしては、種々の形式のものが用いられている。日表と称される日めくりカレンダーから、１ページに１ヶ月分の月表を表示したもの、あるいは１ページに２ヶ月、３ヶ月分の月表を表示したもの、さらには、年表と称される１枚に１年分の月表を表示したものまで、さまざまな形式のカレンダーが用いられている。
【０００３】
これらの中で、最も一般的に用いられているのが、２ヶ月分の月表を１ページに表示した２ヶ月カレンダーである。図３に示したように、従来の２ヶ月カレンダーは、１月の月表と２月の月表が１ページに表示されて、左から奇数月、偶数月と配置されたページが６ページ、表紙を含めて７ページが１冊に綴じられた形式が最も一般的であった。
【０００４】
カレンダーは、多くの場合、予定などを書き込んで使用する場合が多いが、従来の一般的な２ヶ月カレンダーの基本的な問題点として、２ページにまたがる２ヶ月すなわち偶数月とそれに続く奇数月における月末月初の予定が見辛いという問題があった。
【０００５】
特に、４月下旬から５月上旬にかけてのゴールデンウィークは、別々のページに分断されてしまい、使用上不便であった。また１２月下旬から１月上旬にかけての年末年始休暇は、さらに別々のカレンダーになってしまうという場合もあった。
【０００６】
特許文献１に記載されたカレンダーは、これらの問題を解決しようとするものである。このカレンダーは、図４に示したように、一枚のシート部材を縦横に４分割し、互いに対角線上に位置する上下の区画の一方を暦表示部とし、他方の区画を装飾表示部とし、かつ、その各々を分離可能とする切取線を、縦方向及び横方向に設けたシート部材の複数を積層して構成したことを特徴とするカレンダーである。
【０００７】
特許文献１に記載されたカレンダーは、図４に示したように、さらに上半分に表示される月暦の月を、下半分に表示される月暦の月に続くものとすることにより、上下を分割する切取線によって下半分を切り取ることにより、常に連続した２ヶ月分を表示できるようにしたものである。
【０００８】
特許文献１に記載されたカレンダーによれば、連続した２ヶ月分を一覧に表示することは可能である。しかし、図４に示されたように、年末年始では、１２月の月表が右下に配置され、１月の月表が左上に配置される。またゴールデンウィークの例では、特に図示しないが、右下に４月の月表が配置され、左上に５月の月表が配置される。
【０００９】
人の視野は、目が左右に配置されている関係上、上下には狭く、左右には広くできている。また文字表記から、少なくとも現代の日本人にとっては左から右に向かって視線を移動するのが自然であり、読み易い。ところが、特許文献１に記載された２ヶ月カレンダーは、１２月末から１月始め、あるいは４月末から５月始めに視線を移動する際、右下から左上に視線を移動しなければならず、非常に見難いものとなっている。
【先行技術文献】
【特許文献】
【００１０】
【特許文献１】実用新案登録第３１５８２７８号公報
【考案の概要】
【考案が解決しようとする課題】
【００１１】
本考案の解決しようとする課題は、日程計画が重要となる可能性が大きい年末年始とゴールデンウィークにおいて、連続する２ヶ月が自然な形で配置され、見易いカレンダーを提案するものである。
【課題を解決するための手段】
【００１２】
上記の課題を解決するための手段として、請求項１に記載の考案は、１ページに２ヶ月分の月表が表示されたカレンダーにおいて、左側に偶数月の月表が配置され、その右側に、それに続く奇数月の月表が配置されていることを特徴とするカレンダーである。
【００１３】
また、請求項２に記載の考案は、表紙、前年の１２月と１月、２月と３月、４月と５月、６月と７月、８月と９月、１０月と１１月、１２月と翌年の１月の８ページから構成されていることを特徴とする請求項１に記載のカレンダーである。
【００１４】
また、請求項３に記載の考案は、１ページが、２ヶ月分の月表のみからなることを特徴とする請求項１または２に記載のカレンダーである。
【００１５】
また、請求項４に記載の考案は、１ページが、上部に絵柄部を有し、下部に２ヶ月分の月表を有することを特徴とする請求項１または２に記載のカレンダーである。
【００１６】
また、請求項５に記載の考案は、卓上型のカレンダーであることを特徴とする請求項１〜４のいずれか１項に記載のカレンダーである。
【考案の効果】
【００１７】
本考案に係るカレンダーは、１ページに２ヶ月分の月表が表示されたカレンダーにおいて、左側に偶数月の月表が配置され、その右側に、それに続く奇数月の月表が配置されているので、日程計画が重要となる可能性が大きい年末年始とゴールデンウィークにおいて、連続する２ヶ月が左から右に自然な形で配置され、非常に見易いカレンダーとなる。
【００１８】
従来の２ヶ月カレンダーでは、前年の１２月や翌年の１月が表示されていなかったり、あるいは表示されていたとしても縮小された小さな月表となっている場合が多かったが、請求項２に記載の考案によれば、いずれも同じ大きさで表示されるので、極めて利便性が高い。
【００１９】
本考案に係るカレンダーは、月表のみからなる、いわゆる玉カレンダーとしても良いし、通常の絵柄部を有する壁掛けカレンダーとしても良い。また卓上カレンダーとしてもその特徴を十分に発揮することができる。
【図面の簡単な説明】
【００２０】
【図１】図１は、本考案に係るカレンダーの一実施態様における１２月−１月のページを示した模式図である。
【図２】図２は、本考案に係るカレンダーの一実施態様における４月−５月のページを示した模式図である。
【図３】図３は、従来のカレンダーにおける１月−２月のページを示した模式図である。
【図４】図４は、特許文献１に記載されたカレンダーを示した模式図である。
【考案を実施するための形態】
【００２１】
本考案に係るカレンダー１は、図１、図２に示したように、１ページに２ヶ月分の月表が表示されたカレンダーであって、左側に偶数月の月表３が配置され、その右側にそれに続く奇数月の月表４が配置されていることを特徴とする。
【００２２】
このため、図１に示したように年末年始や、図２に示したようにゴールデンウィークが、一覧で目視でき、非常に見易く、日程計画を考える際に使い易いものとなった。
【００２３】
本考案の特徴を最大に発揮させるために、ページの構成としては、１ページ目に表紙を配置し、２ページ目に前年の１２月の月表と本年の１月の月表、３ページ目以降を偶数月の月表とそれに続く奇数月の月表とし、８ページ目に１２月の月表と翌年の１月の月表という８ページ構成とすることが望ましい。但し表紙は必ずしも必須ではない。
【００２４】
本考案のカレンダーは、空白部分に予定を記入することができる。具体的には日にちの下部に空白を設けておき、ここに予定などを記入することができる。上記の通り、年末年始やゴールデンウィークが１つの面に設けられるため、連続する予定を見やすい形で記入することが可能である。空白は０．５〜５ｃｍ×０．５〜５ｃｍ程度であればよい。
【００２５】
また、本考案のカレンダーは、予定を記入しやすいものが好ましく、鉛筆、メカニカルペンシル、その他ペン等で筆記可能な材質を用いることができる。また、コート紙や樹脂フィルム等の材料を用いてもよく、このような場合、筆記しやすくするために空白部に筆記層を設けてもよい。
【００２６】
また、本考案のカレンダーは、絵柄と月表の間に切取り線を設けてもよい。
【００２７】
切取り線としてはミシン目加工等があげられる。
【００２８】
また、本考案のカレンダーは、同一ページに設けた２ヶ月分の月表を分離するための切り取り線を設けてもよい。利用している月が奇数月である場合、左右逆にはなるが、前の偶数月を切り取り線に沿って取り外すことにより、次の偶数月を視認可能にすることができ、現在の月と翌月を見やすく表示可能とすることができる。
【００２９】
本考案のカレンダーは、図１、２に示したような通常の、上部に絵柄部２を有する２ヶ月カレンダーとしても良いし、特に図示しないが、絵柄部のない月表のみからなるいわゆる玉カレンダーでも良い。また小型の卓上カレンダーとしてもその特徴が十分に発揮される。
【００３０】
絵柄部２を有する２ヶ月カレンダーとする場合、絵柄部と月表部の割合は概ね４０〜６０：６０〜４０程度であることが好ましい。
【符号の説明】
【００３１】
１・・・カレンダー
２・・・絵柄部
３・・・偶数月の月表
４・・・奇数月の月表
５・・・切取線
【図１】
0003208482.tif 000003
【図２】
0003208482.tif 000004
【図３】
0003208482.tif 000005
【図４】
0003208482.tif 000006